(57)【要約】【課題】インターホン機能を有する複数のリモコン装置を備える給湯システムにおいて、インターホン機能の動作状態を分かり易く報知することを目的とする。【解決手段】給湯機本体１と、当該給湯機本体１を遠隔操作する浴室リモコン装置２および台所リモコン装置３とを備える。浴室リモコン装置２および台所リモコン装置３は、これらのリモコン装置２、３を介して通話を可能とするインターホン機能を有し、インターホン機能の動作中に、インターホン通話可能な残り時間を、文字表示および音声表示の少なくとも一方を用いて報知する報知手段を含む。【選択図】図４
2011127814.tif 000002
【特許請求の範囲】
【請求項１】
給湯機本体と、当該給湯機本体を遠隔操作する複数のリモコン装置とを備える給湯システムであって、
前記複数のリモコン装置は、
当該複数のリモコン装置を介して通話を可能とするインターホン機能を有し、
前記インターホン機能の動作中に、インターホン通話可能な残り時間を、文字表示および音声表示の少なくとも一方を用いて報知する報知手段を含むことを特徴とする給湯システム。
【請求項２】
前記複数のリモコン装置は、給湯制御機能を操作するための操作手段を含み、
前記報知手段は、前記インターホン機能の動作中に前記操作手段が操作された場合に、前記操作手段による操作が無効であることを文字表示する表示部を前記リモコン装置上に備えることを特徴とする請求項１に記載の給湯システム。
【請求項３】
前記複数のリモコン装置は、給湯制御機能を操作するための操作手段を含み、
前記報知手段は、前記インターホン機能の動作中に前記操作手段が操作された場合に、前記操作手段による操作が無効であることを音声表示する音声表示手段を備えることを特徴とする請求項１または２に記載の給湯システム。
【発明の詳細な説明】
【技術分野】
【０００１】
この発明は、給湯システムに係り、特に、インターホン機能を有する複数のリモコン装置を備える給湯システムに関する。
【背景技術】
【０００２】
従来、トークスイッチの操作に伴ってインターホン機能が利用可能となる複数のリモコン装置を備える給湯システムが知られている（例えば、特許文献１参照）。
【先行技術文献】
【特許文献】
【０００３】
【特許文献１】特開平５−６８２８８号公報
【発明の概要】
【発明が解決しようとする課題】
【０００４】
しかしながら、上記従来の給湯システムのように所定のスイッチ（トークスイッチ）をオンとすることでインターホン機能が利用可能となり、当該スイッチをオフとすることでインターホン機能が停止する構成の場合には、インターホン機能を停止させる際にスイッチの押し忘れが生じ易い。その結果、リモコン装置内で無駄な電力が消費されるという問題があった。また、スイッチをオンにしてから所定時間の経過後にインターホン機能が自動的に停止するように構成することも考えられる。しかしながら、そうすると、インターホン通話が長い場合に、通話途中でインターホン機能が不意に停止してしまい、インターホン機能の利便性が良いとはいえない状況が発生することが懸念される。
【０００５】
この発明は、上述のような課題を解決するためになされたもので、インターホン機能を有する複数のリモコン装置を備える給湯システムにおいて、インターホン機能の動作状態を分かり易く報知することのできる給湯システムを提供することを目的とする。
【課題を解決するための手段】
【０００６】
この発明に係る給湯システムは、給湯機本体と、当該給湯機本体を遠隔操作する複数のリモコン装置とを備える給湯システムであって、複数のリモコン装置は、当該複数のリモコン装置を介して通話を可能とするインターホン機能を有し、インターホン機能の動作中に、インターホン通話可能な残り時間を、文字表示および音声表示の少なくとも一方を用いて報知する報知手段を含むものである。
【発明の効果】
【０００７】
この発明によれば、インターホン機能の動作状態を分かり易く報知することができる。
【図面の簡単な説明】
【０００８】
【図１】本発明の実施の形態１に係る給湯システムの構成を示すブロック図である。
【図２】図１に示す給湯システムの各部の詳細を示した制御ブロック図である。
【図３】浴室リモコン装置の表面側の構成を示す概略図である。
【図４】インターホン機能が動作状態となっている場合のドット表示部の表示状態の一例を示す図である。
【図５】インターホン機能が動作状態となっている場合において操作スイッチによる操作が無効（禁止）とされた際のドット表示部の表示状態の一例を示す図である。
【図６】本発明の実施の形態１に係る給湯システムの制御処理の流れを示したフローチャートである。
【発明を実施するための形態】
【０００９】
実施の形態１．
図１は、本発明の実施の形態１に係る給湯システムの構成を示すブロック図である。給湯システムは、浴槽や蛇口（給湯栓）への給湯を行うシステムであり、給湯機（本体）１と、給湯機（本体）１を遠隔操作する浴室リモコン装置２および台所リモコン装置３と、給湯用水の加熱手段として機能するヒートポンプユニット４とを備えて構成されている。浴室リモコン装置２および台所リモコン装置３は、両者を介して通話を可能とするインターホン機能をそれぞれ有している。
【００１０】
給湯機（本体）１は、給湯機（本体）１を制御する制御部１ａを備えている。浴室リモコン装置２は、浴室リモコン装置２の制御部２ａと、インターホン機能の動作および停止を命令する通話スイッチ２ｊと、各種の給湯制御機能（例えば、浴槽への給湯の設定温度や給湯量の調整機能）の動作および停止を命令する操作スイッチ２ｍとを備えている。
【００１１】
より具体的には、操作スイッチ２ｍは、各種の給湯制御機能の動作および停止の命令を担う以下の各機能スイッチと、音声フレーズの設定音量等の設定値を変更する音量スイッチなどで構成される。また、上記機能スイッチとしては、蛇口へ給湯する設定温度、または浴槽へ給湯する設定温度もしくは湯量等の設定値の変更スイッチ、一般の蛇口給湯と浴槽への給湯の設定温度を優先的に変更できる権利を台所リモコン装置３との間で切換える優先スイッチ、浴槽への湯はり機能の動作および停止を命令する湯はりスイッチ、更には、他の給湯制御機能の動作および停止を命令するスイッチが該当する。
【００１２】
台所リモコン装置３は、上記浴室リモコン装置２と同様に、台所リモコン装置３の制御部３ａと、インターホン機能の動作および停止を命令する通話スイッチ３ｊと、各種の給湯制御機能の動作および停止を命令する操作スイッチ３ｍとを備えている。また、ヒートポンプユニット４は、ヒートポンプユニット４を制御する制御部４ａを備えている。給湯機（本体）１の制御部１ａと、浴室リモコン装置２の制御部２ａと、台所リモコン装置３の制御部３ａと、ヒートポンプユニット４の制御部４ａとは、通信線５を介して電気的に接続されている。給湯システムにおけるこれらの各部の詳細を図２に基づいて説明する。
【００１３】
図２は、図１に示す給湯システムの各部の詳細を示した制御ブロック図である。給湯機（本体）１の制御部１ａは、電源部１ｂと、浴室リモコン装置２、台所リモコン装置３、およびヒートポンプユニット４との通信信号（通信制御キャリアの周波数帯域：ＣｋＨｚ）の変換を行う通信回路１ｃと、浴室リモコン装置２、台所リモコン装置３、およびヒートポンプユニット４との通信信号の解析および送受信を行う制御マイコン１ｄとを備えている。
【００１４】
浴室リモコン装置２の制御部２ａは、電源部２ｂと、給湯機（本体）１との通信信号の変換を行う通信回路２ｃと、給湯機（本体）１との通信信号の解析および送受信並びに通話回路２ｋへの動作および停止の命令などを行うマイコン２ｄと、音声ＩＣ２ｆと、アンプ２ｇ等を備えている。マイコン２ｄには、上記通話スイッチ２ｊ、操作スイッチ２ｍとともに、文字などを表示するドット表示部２ｎを含む表示部２ｅが接続されている。また、アンプ２ｇには、スピーカー２ｈが接続されており、通話回路２ｋには、マイク２ｓが接続されている。音声ＩＣ２ｆは、給湯機（本体）１の動作を音で報知する機能として電子音や音声フレーズによる音声ガイダンスを発生するためのＩＣである。ドット表示部２ｎは、給湯機（本体）１の動作を視覚的に認知させるための表示部２ｅ内に文字ガイダンスなどを表示させるものである。
【００１５】
通話回路２ｋは、２ｐ、２ｒおよび２ｑで構成される。２ｐはハイブリッド回路であり、リモコン装置２、３のどちらにおいて、音声をスピーカー２ｈ等で出力するかを判定する回路である。２ｒは台所リモコン装置３からの通話キャリア（周波数帯帯域：ＢｋＨｚ）をＦＭ復調する回路であり、２ｑは浴室リモコン装置２の音声信号を、通話キャリア（周波数帯帯域：ＡｋＨｚ）にＦＭ変調する回路である。マイコン２ｄは、表示部２ｅへの出力命令や、音声ＩＣ２ｆへの音声フレーズの発声および停止命令を行い、操作スイッチ２ｍからの押下信号を解析し、各給湯制御機能が動作状態であるか或いは停止状態であるかの判断と、各給湯制御機能における各設定値の状態を判断する。
【００１６】
台所リモコン装置３の制御部３ａの構成は、基本的に上記浴室リモコン装置２の制御部２ａの構成と同様であるため、ここでは制御部３ａについての説明を省略する。また、ヒートポンプユニット４の制御部４ａは、電源部４ｂと、通信回路４ｃと、マイコン４ｄ等を備えている。
【００１７】
図３は、浴室リモコン装置２の表面側の構成を示す概略図である。浴室リモコン装置２は、その表面側に、通話スイッチ２ｊと、操作スイッチ２ｍと、文字などを表示するドット表示部２ｎを含む表示部２ｅと、電子音や音声フレーズを出力するスピーカー２ｈとを備えている。表示部２ｅ内のドット表示部２ｎにおける図３の表示状態は、各給湯制御機能が停止状態となっている場合の正常時の表示状態である。尚、台所リモコン装置３の表面側の構成も、上記浴室リモコン装置２の上記構成と同様である。
【００１８】
図４は、インターホン機能が動作状態となっている場合のドット表示部２ｎの表示状態の一例を示す図である。本実施形態の給湯システムでは、ノイズ防止のために給湯機（本体）１およびヒートポンプユニット４とリモコン装置２、３との通信を所定時間停止した状態で、インターホン機能が利用可能となるように構成されている。そのうえで、本実施形態では、インターホン機能が動作状態となっている場合には、図４に示すように、インターホン機能が動作状態であることを示す文字ガイダンスと、インターホン通話可能な残り時間とが表示されるようになっている。
【００１９】
図５は、インターホン機能が動作状態となっている場合において操作スイッチ２ｍによる操作が無効（禁止）とされた際のドット表示部２ｎの表示状態の一例を示す図である。本実施形態の浴室リモコン装置２は、インターホン機能を利用した通話中には、操作スイッチ２ｍ（より具体的には、上記音量スイッチ等を除く給湯制御機能に関する各種の機能スイッチ）の操作が無効となるように構成されている。そして、インターホン機能が動作状態となっている場合において操作スイッチ２ｍによる操作が無効（禁止）とされた際には、図５に示すように、インターホン通話中は操作スイッチ２ｍによる各給湯制御機能に関する操作が無効（禁止）されることを示す文字ガイダンスが、所定時間に渡って表示されるようになっている。
【００２０】
図６は、本発明の実施の形態１に係る給湯システムの制御処理の流れを示したフローチャートである。先ず、ステップＳ１においては、浴室リモコン装置２のマイコン２ｄにて、通話スイッチ２ｊが押されたか否かが判別される。その結果、通話スイッチ２ｊが押された場合はステップＳ２へ進み、押されていない場合はステップＳ５に進む。
【００２１】
ステップＳ２においては、浴室リモコン装置２のマイコン２ｄにて、インターホン動作フラグがセット状態であるかどうかが判別される。その結果、インターホン動作フラグがセット状態である場合は、インターホン通話中にインターホン機能を停止するために通話スイッチ２ｊが押されたケースであると判断できるのでステップＳ３へ分岐する。一方、、インターホン動作フラグがクリア状態である場合は、非インターホン通話中にインターホン機能を動作させるために通話スイッチ２ｊが押されたケースであると判断できるのでステップＳ４へ分岐する。
【００２２】
ステップＳ３では、浴室リモコン装置２にてインターホン機能が停止状態であることを確定する。具体的には、マイコン２ｄに内蔵されているメモリからフラグ（インターホン動作状態）をクリアし、通話回路２ｋへインターホン動作停止を出力し、ステップＳ５へ移行する。
【００２３】
ステップＳ４では、浴室リモコン装置２にてインターホンが動作状態であることを確定する。具体的には、マイコン２ｄに内蔵されているメモリにフラグ（インターホン動作状態）をセットし、通話回路２ｋへインターホン動作命令を出力し、ステップＳ５へ移行する。
【００２４】
ステップＳ５では、インターホン動作状態フラグがセット状態であるか否かが判別される。その結果、インターホン動作状態フラグがセット状態である場合はステップＳ６へ、インターホン動作状態フラグがクリア状態である場合はＥＮＤへ分岐する。
【００２５】
ステップＳ６では、マイコン２ｄから表示部２ｅ内のドット表示部２ｎに、表示させる文字データが出力される。例えば、「インターホン中残り時間５０秒」といった文字ガイダンスが、表示部２ｅ内のドット表示部２ｎに出力され、次いで、ステップＳ７へ移行する。ここで、インターホン通話可能な残り時間は、マイコン２ｄにて随時カウントダウンされ、ドット表示部２ｎの残り時間の表示に反映される。
【００２６】
ステップＳ７では、マイコン２ｄにて各機能スイッチ（操作スイッチ２ｍ、３ｍ）の操作があるかどうかが判別される。各機能スイッチの操作、例えば湯はりスイッチなどの操作がある場合は、ステップＳ８へ、湯はりスイッチなどの操作がない場合は、ステップＳ１１へ分岐する。
【００２７】
ステップＳ８では、マイコン２ｄから表示部２ｅ内のドット表示部２ｎに、表示させる文字データが出力される。例えば、「インターホン中は操作できません」といった文字ガイダンスが表示部２ｅ内のドット表示部２ｎに出力され、次いで、ステップＳ９へ移行する。
【００２８】
ステップＳ９では、マイコン２ｄから音声ＩＣ２ｆへ音声命令が出力される。例えば、「インターホン中は操作できません」といった音声ガイダンスが、音声ＩＣ２ｆに出力され、ステップＳ１０へ移行する。
【００２９】
ステップＳ１０では、マイコン２ｄにて操作禁止（操作無効）のガイダンス表示継続時間が、所定の自動停止時間（例えば５秒間）以上かどうかが判別される。その結果、当該自動停止時間以上となった場合はステップＳ１１へ移行し、当該自動停止時間未満の状態である場合はステップＳ１０で待機する。
【００３０】
ステップＳ１１では、マイコン２ｄにてインターホン機能の動作継続時間が、所定の自動停止時間（例えば６０秒間）以上かどうかが判別される。その結果、当該自動停止時間以上となった場合はステップＳ１２へ移行し、当該自動停止時間未満の状態である場合はステップＳ１へ分岐する。
【００３１】
ステップＳ１２では、浴室リモコン装置２にてインターホン機能が停止状態であることを確定する。具体的には、マイコン２ｄに内蔵されているメモリからフラグ（インターホン動作状態）をクリアし、通話回路２ｋへインターホン動作停止を出力し、ＥＮＤへ移行する。
【００３２】
以上説明した図６に示す制御処理によれば、インターホン機能の動作中には、インターホン通話可能な残り時間が、文字表示によるカウントダウン表示を用いて報知される。更に、インターホン機能の動作中に操作スイッチ２ｍ内の各操作スイッチが操作された場合には、操作スイッチによる操作が無効であることを文字表示および音声表示を用いて報知される。このように、本実施形態の給湯システムによれば、音声ガイダンスを発生するための音声ＩＣ２ｆと、文字ガイダンスなどが表示できるドット表示部２ｎと、インターホン機能の動作および停止を操作するための通話スイッチ２ｊなどを有する浴室リモコン装置２および台所リモコン装置３を備えるシステムにおいて、インターホン通話可能な残り時間とインターホン通話中の各機能スイッチの操作無効とを、音で報知する機能および視覚的に認知させるための表示機能を有する給湯機（本体）１の浴室リモコン装置２を提供することができる。これにより、インターホン機能の動作状態や各機能スイッチの操作無効を分かり易く報知することができ、リモコン装置２、３の利便性を向上することができる。
【００３３】
なお、上述した実施の形態１における図６のフローチャートでは、浴室リモコン装置２に関する制御例について説明したが、台所リモコン装置３に関しても同様の制御処理を適用することができる。また、これらのリモコン装置２、３に加えて更に増設して接続可能な給湯システムのリモコン装置（図示せず）に関して上記と同様の制御処理を適用してもよく、その場合にも同様な動作が得られる。
【００３４】
また、上述した実施の形態１においては、ドット表示部２ｎを利用してインターホン通話可能な残り時間を文字表示によって報知するようにしているが、これに代え、音声ＩＣ２ｆを用いるなどして、音声表示によってインターホン通話可能な残り時間を報知するようにしてもよい。また、図６のフローチャートについても、本発明は、その制御方法に限定されるものではなく、適宜変更してもよいことはいうまでもない。
【００３５】
また、上述した実施の形態１においては、浴室リモコン装置２および台所リモコン装置３が有線を介して給湯機（本体）１およびヒートポンプユニット４と接続された場合について説明したが、これに代え、無線により信号を授受するようにしてもよい。
【００３６】
また、上述した実施の形態１においては、わき上げ方式がヒートポンプ方式の給湯機（本体）１を備える構成（図１参照）について説明したが、わきあげ方式をヒーター式の電気温水器としてもよい。この場合には、熱源としてヒートポンプユニット４の替わりに、給湯機（本体）１に内蔵される、わき上げ用ヒーターが、給湯機（本体）１の制御部１ａにより直接制御される構成となる。
【符号の説明】
【００３７】
１  給湯機（本体）
１ａ  制御部
１ｃ  通信回路
１ｄ  制御マイコン
２  浴室リモコン装置
３  台所リモコン装置
２ａ、３ａ  制御部
２ｃ、３ｃ  通信回路
２ｄ、３ｄ  マイコン
２ｅ、３ｅ  表示部
２ｆ、３ｆ  音声ＩＣ
２ｈ、３ｈ  スピーカー
２ｊ、３ｊ  通話スイッチ
２ｋ、３ｋ  通話回路
２ｍ、３ｍ  操作スイッチ
２ｎ、３ｎ  ドット表示部
２ｓ、３ｓ  マイク
４  ヒートポンプユニット
４ａ  制御部
４ｃ  通信回路
４ｄ  マイコン
５  通信線
【図１】
2011127814.tif 000003
【図２】
2011127814.tif 000004
【図３】
2011127814.tif 000005
【図４】
2011127814.tif 000006
【図５】
2011127814.tif 000007
【図６】
2011127814.tif 000008